(57)【要約】【課題】紐に結び目を付けることなく、紐とフック具とを容易かつ確実に連結できるようにする。【解決手段】鉤部１０を備えた本体１と、紐Ｗの端部を保持した状態で、本体１の筒状部１１の他方の筒端から本体１内にはめ込まれて本体１に紐Ｗを連結させる紐保持体２とを有している。紐保持体２は、両筒端を開放させた筒状基部２０と、筒状基部２０における本体１への差し込み先側となる筒端から突き出す一対の保持脚部２１、２１と、保持脚部２１の先端と基部との間において、一対の保持脚部２１、２１を互いに連接させる紐Ｗの掛け回し部２２とを有している。一対の保持脚部２１、２１が、掛け回し部２２の形成位置より先側において、一対の保持脚部２１、２１間の隙間Ｓを保持される紐Ｗの端部の太さよりも狭くする紐Ｗの挟み付け縁部２１ａを持つように構成されている。【選択図】　　　図４
2004049449.tif 000002
【特許請求の範囲】
【請求項１】
筒状部の一方の筒端に根本を一体に連接させた鉤部を備えた本体と、
紐の端部を保持した状態で、本体の筒状部の他方の筒端からこの本体内にはめ込まれてこの本体に紐を連結させる紐保持体とを有しており、
紐保持体は、
両筒端を開放させた筒状基部と、
この筒状基部における本体への差し込み先側となる筒端から突き出す一対の保持脚部と、
この保持脚部の先端と基部との間において、一対の保持脚部を互いに連接させる紐の掛け回し部とを有しており、
一対の保持脚部が、この掛け回し部の形成位置より先側において、一対の保持脚部間の隙間を保持される紐の端部の太さよりも狭くする紐の挟み付け縁部を持つように構成されていることを特徴とするフック具。
【請求項２】
紐の挟み付け縁部が、保持脚部の突き出し方向に沿った稜線状をなすように構成してあることを特徴とする請求項１記載のフック具。
【請求項３】
保持脚部の先端と、この先端側にある挟み付け縁部の始端との間に、この始端に近付くに連れて他方の保持脚部の側に次第に近付くように傾斜した紐の導入縁部が形成してあることを特徴とする請求項１又は請求項２記載のフック具。
【請求項４】
掛け回し部における筒状基部の筒端に向けられた側に、この筒端側と反対の側に向けて次第に掛け回し部を太めるように傾斜した紐の案内面が形成してあることを特徴とする請求項１、請求項２又は請求項３記載のフック具。
【請求項５】
本体の筒状部及び紐保持体の筒状基部のいずれか一方に掛合口部が設けられていると共に、
この本体の筒状部及び紐保持体の筒状基部の他方に、この本体へ紐保持体を入れ込み切った位置での弾発により掛合口部に入り込む掛合突部が設けられていることを特徴とする請求項１、請求項２、請求項３又は請求項４記載のフック具。
【発明の詳細な説明】
【０００１】
【発明の属する技術分野】
この発明は、各種の紐の端部に備え付けられて、その鉤部を引っかけた各種の部材、物品を、紐を介して支持するようにして用いられるフック具の改良に関する。
【０００２】
【従来の技術】
紐に取り付けられるフックとして、米国特許公報第６３０８３８３号に開示されたものがある。
【０００３】
しかし、かかるフックは、フック本体の基部に設けた穴に紐を通し、あるいはまた、フック本体の基部に設けた溝に紐を掛け回した後、この基部にカバーを装着するスタイルのものであり、フック本体と紐との分離を防ぐためには紐に結び目を付けることを余儀なくするものであった。また、この結び目の大きさ分、フック本体の基部を太くせざるを得ないものであった。
【０００４】
【発明が解決しようとする課題】
また、図１４に示されるように、紐Ｗの端部に金属リング１００をカシメ付け、このように金属リング１００をカシメ付けた紐Ｗの端部をインサートとしてフック体１１０をプラスチック成形により紐Ｗの端部に設けさせるようにしたものもある。
【０００５】
この手法では、紐Ｗに結び目を付ける必要はない。しかし、紐Ｗに金属リング１００をカシメ付ける手間を要していた。また、紐Ｗに張力が作用されてると紐Ｗが細くなるため（ゴム紐や可撓性を備えた樹脂製のコードにおいてはより顕著に細くなる。）紐Ｗに強い張力が作用されるとこの紐Ｗが金属リング１００から抜け出してしまい、フック体１１０と紐Ｗとを分離させてしまう可能性を完全に払拭させ難いものであった。
【０００６】
そこでこの発明は、この種のフック具において、紐に結び目を付けることなく、紐とフック具とを容易かつ確実に連結できるようにすることを主たる目的とする。
【０００７】
【課題を解決するための手段】
前記目的を達成するために、請求項１記載の発明にあっては、フック具が以下の（１）〜（４）の構成を備えたものとした。
（１）筒状部の一方の筒端に根本を一体に連接させた鉤部を備えた本体と、
（２）紐の端部を保持した状態で、本体の筒状部の他方の筒端からこの本体内にはめ込まれてこの本体に紐を連結させる紐保持体とを有しており、
（３）紐保持体は、
両筒端を開放させた筒状基部と、
この筒状基部における本体への差し込み先側となる筒端から突き出す一対の保持脚部と、
この保持脚部の先端と基部との間において、一対の保持脚部を互いに連接させる紐の掛け回し部とを有しており、
（４）一対の保持脚部が、この掛け回し部の形成位置より先側において、一対の保持脚部間の隙間を保持される紐の端部の太さよりも狭くする紐の挟み付け縁部を持つように構成されている。
【０００８】
かかる構成によれば、以下のようにすることによって、フック具を紐に容易かつ適切に連結させることができる。
【０００９】
先ず、紐保持体の筒状基部における保持脚部の突き出し側と反対の筒端からこの筒状基部に入れ込まれると共に、この筒状基部における保持脚部の突き出し側にある筒端から抜き出された紐の端部を、一対の保持脚部と掛け回し部とこの突き出し側の筒端とによって囲繞された空間から側方に引き出した後、この掛け回し部に紐の端部が掛け回される向きに屈曲させた状態で一対の保持脚部の先端間からこの一対の保持脚部間に紐を入れ込ませるようにする。
【００１０】
かかる一対の保持脚部における掛け回し部の形成位置より先側にある一対の保持脚部間の隙間は、前記挟み付け縁部によって、このように入れ込まれる紐の太さよりも狭くなっていることから、一対の保持脚部間に紐は押し潰されながら入れ込まされる。これにより、一対の保持脚部間から紐の端部が再び抜け出さないように、すなわち、紐保持体に紐の端部を強固に保持させることができる。
【００１１】
そして、このように紐の端部を保持した紐保持体を本体の筒状部にはめ込ませることにより、フック具を紐に連結させることができる。
【００１２】
このように連結された紐は、その端部を、前記掛け回し部の先において、この掛け回し部に掛け回されるようにして、一対の保持脚部の間に入れ込まされることから、紐に張力が作用されても、紐はフック具から抜け出されることはない。
【００１３】
また、請求項２記載の発明にあっては、請求項１記載のフック具における紐の挟み付け縁部が、保持脚部の突き出し方向に沿った稜線状をなすように構成してあることを特徴としている。
【００１４】
かかる構成によれば、一対の保持脚部間に入れ込まされた紐に対し、挟み付け縁部を突き立てるように食い込ませることができ、この一対の保持脚部において紐をより強固に挟み付け保持することができる。
【００１５】
また、請求項３記載の発明にあっては、請求項１又は請求項２記載のフック具における保持脚部の先端と、この先端側にある挟み付け縁部の始端との間に、この始端に近付くに連れて他方の保持脚部の側に次第に近付くように傾斜した紐の導入縁部が形成してあることを特徴としている。
【００１６】
かかる構成によれば、一対の保持脚部の挟み付け縁部間への紐の端部の入れ込みを、この挟み付け縁部の始端に近付くに連れて他方の保持脚部の側に次第に近付く紐の導入縁部を利用して紐を徐々に押し潰しながらなすことができ、この一対の保持脚部の挟み付け縁部間への紐の端部の入れ込みをスムースになすことができる。
【００１７】
また、請求項４記載の発明にあっては、請求項１、請求項２又は請求項３記載のフック具の、掛け回し部における筒状基部の筒端に向けられた側に、この筒端側と反対の側に向けて次第に掛け回し部を太めるように傾斜した紐の案内面が形成してあることを特徴としている。
【００１８】
かかる構成によれば、紐保持体の筒状基部における保持脚部の突き出し側と反対の筒端からこの筒状基部に入れ込まれると共に、この筒状基部における保持脚部の突き出し側にある筒端から抜き出された紐の端部を、前記案内面によって案内して、一対の保持脚部と掛け回し部とこの突き出し側の筒端とによって囲繞された空間から側方にスムースに引き出させることができ、一対の保持脚部間への紐の入れ込み操作を行い易くすることができる。
【００１９】
また、請求項５記載の発明にあっては、請求項１、請求項２、請求項３又は請求項４記載のフック具における本体の筒状部及び紐保持体の筒状基部のいずれか一方に掛合口部が設けられていると共に、
この本体の筒状部及び紐保持体の筒状基部の他方に、この本体へ紐保持体を入れ込み切った位置での弾発により掛合口部に入り込む掛合突部が設けられていることを特徴としている。
【００２０】
かかる構成によれば、前記本体に紐保持体を入れ込み切った位置において、掛合口部に掛合突部を弾発して入り込ませることができ、これにより、本体に紐保持体を入れ込み切った状態を維持し、紐保持体に紐の端部を保持された紐を本体に安定的に連結させることができる。
【００２１】
【発明の実施の形態】
以下、図１ないし図１３に基づいて、この発明の典型的な実施の形態について説明する。
【００２２】
なお、ここで図１は、実施の形態にかかるフック具を構成する本体１と紐保持体２とを分離した状態として、また、図２ないし図４は、紐Ｗを保持させた紐保持体２を本体１にはめ付けてこの本体１と紐Ｗとを連結させた状態をそれぞれ示している。また、図５ないし図８は、かかる本体１をそれぞれ示しており、また、図９ないし図１３は、かかる紐保持体２をそれぞれ示している。
【００２３】
この実施の形態にかかるフック具は、各種の紐Ｗの端部に備え付けられて、その鉤部１０を引っかけた各種の部材、物品を、紐Ｗを介して支持するようにして用いられるものである。
【００２４】
このフック具が備え付けられる紐Ｗとしては、通常の紐の他、ゴム紐や、可撓性を備えた樹脂製のコードなどが予定される。
【００２５】
かかるフック具は、
鉤部１０を備えた本体１と、
紐Ｗの端部を保持した状態でこの本体１に組み合わされてこの本体１に紐Ｗを連結させる紐保持体２とを備えて構成されている。
【００２６】
本体１は、前記鉤部１０と、筒状部１１とを備えている。
【００２７】
鉤部１０は、根本１０ａと、フック端１０ｂと、この根本１０ａとフック端１０ｂとの間に間隔を開けるようにこの根本１０ａとフック端１０ｂとを連接させる連接部１０ｃとを有している。図示の例では、連接部１０ｃによって、かかる根本１０ａとフック端１０ｂとがほぼ平行をなすように連接されている。
【００２８】
筒状部１１は、一方の筒端を閉塞させ、かつ、他方の筒端を開放させている。そして、この閉塞された筒端に鉤部１０の根本１０ａを一体に接合させている。また、かかる他方の筒端から、後述するように、内部に紐保持体２を受け入れ、この紐保持体２と組み合わされるようになっている。図示の例では、かかる筒状部１１は、円筒状をなすように構成されている。
【００２９】
また、図示の例にあっては、かかる筒状部１１における開放された他方の筒端側に、窓穴１１ａが形成されている。かかる窓穴１１ａは、筒状部１１の直径方向両側に形成されている。
【００３０】
そして、この筒状部１１、つまり、本体１へ紐保持体２を入れ込み切った位置において、紐保持体２側に設けられた後述する掛合突部２０ａがその弾発によりかかる窓穴１１ａに入り込むようになっている。すなわち、図示の例では、かかる窓穴１１ａによって後述する掛合口部１１ｂを形成させている。
【００３１】
一方、紐保持体２は、紐Ｗの端部を保持した状態で、本体１の筒状部１１の他方の筒端からこの本体１内にはめ込まれてこの本体１に紐Ｗを連結させるように構成されている。
【００３２】
かかる紐保持体２は、
両筒端を開放させた筒状基部２０と、
この筒状基部２０における本体１への差し込み先側となる筒端から突き出す一対の保持脚部２１、２１と、
この保持脚部２１の先端と基部との間において、一対の保持脚部２１、２１を互いに連接させる紐Ｗの掛け回し部２２とを有している。
【００３３】
図示の例では、筒状基部２０は、円筒状をなすように構成してある。
【００３４】
また、一対の保持脚部２１、２１はそれぞれ、一端を筒状基部２０における本体１への差し込み先側となる筒端に一体に連接させて、この筒状基部２０の筒軸線に沿った向きで外方に突き出す棒状をなすように構成してある。
【００３５】
また、図示の例では、保持脚部２１は、筒状基部２０の直径方向両側位置においてそれぞれ設けられている。
【００３６】
そして、図示の例にあっては、筒状基部２０の保持脚部２１の突き出し側の筒端と反対の筒端と、この保持脚部２１の先端との間の寸法が、本体１の筒状部１１における開放された他方の筒端から閉塞された一方の筒端の内壁間の寸法とほぼ等しくなるように構成してある。
【００３７】
また、筒状基部２０の外径は、本体１の筒状部１１の内径よりもやや小さくなるように構成してある。
【００３８】
そして、図示の例では、本体１の筒状部１１に対し、保持脚部２１の突き出し側を先にして、この保持脚部２１の先端が本体１の筒状部１１における閉塞された一方の筒端の内壁に突き当たる位置まで紐保持体２を入れ込むようになっており、（図３、図４）この突き当たり位置が紐保持体２を入れ込み切った位置となるようにしてある。
【００３９】
そして、この実施の形態にあっては、本体１の筒状部１１及び紐保持体２の筒状基部２０のいずれか一方に掛合口部１１ｂが設けられていると共に、
この本体１の筒状部１１及び紐保持体２の筒状基部２０の他方に、この本体１へ紐保持体２を入れ込み切った位置での弾発により掛合口部１１ｂに入り込む掛合突部２０ａが設けられている。
【００４０】
具体的には図示の例にあっては、本体１の筒状部１１に前記窓穴１１ａによって前記掛合口部１１ｂを形成させている。
【００４１】
また、紐保持体２の筒状基部２０に掛合突部２０ａを形成させている。かかる掛合突部２０ａは、この筒状基部２０の直径方向両側にそれぞれ設けられており、前記本体１に紐保持体２を入れ込み切った位置において、本体１の二カ所の窓穴１１ａ、１１ａの一方に一方の掛合突部２０ａが弾発して入り込み、かつ、本体１の二カ所の窓穴１１ａ、１１ａの他方に他方の掛合突部２０ａが弾発して入り込んで、このように本体１に紐保持体２を入れ込み切った状態を維持し、これによって紐保持体２に紐Ｗの端部を保持された紐Ｗを本体１に連結させるようにしてある。
【００４２】
図示の例では、一対の掛合突部２０ａはそれぞれ、紐保持体２における筒状基部２０の筒軸方向に沿った一対の縦向きの割溝２０ｃ、２０ｃと、この一対の縦向きの割溝２０ｃ、２０ｃにおける保持脚部２１の突き出し側と反対の筒端側にある溝端間に亙る横向きの割溝２０ｄによって区分された弾性片２０ｅの外面に形成されている。そして、一対の掛合突部２０ａ、２０ａの頂端間の寸法が、本体１の筒状部１１の内径よりもやや大きくなるようにしてある。これにより、本体１の筒状部１１に紐保持体２を入れ込ませることによって筒状部１１の筒口部に突き当てられる掛合突部２０ａを弾性片を内向きに撓み込ませてこの紐保持体２を本体１の筒状部１１内に入り込ませることができると共に、この掛合突部２０ａが窓穴１１ａに入り込み可能となる紐保持体２の入れ込み位置における弾性片２０ｅの弾発によって掛合突部２０ａを窓穴１１ａに入り込ませ、このように入れ込まれた紐保持体２が再び本体１の筒状部１１内から抜け出さないようにすることができる。
【００４３】
図示の例では、掛合突部２０ａは、弾性片２０ｅの基部側から掛合突部２０ａの頂部に向けて次第に高まる傾斜面２０ｂを有しており、この傾斜面２０ｂによってかかる弾性片２０ｅの前記撓み込みがスムースになされるようになっている。
【００４４】
また、図示の例では、紐Ｗの掛け回し部２２は、一対の保持脚部２１、２１をそれぞれ、その突き出し方向ほぼ中程の位置で互いに連接させる棒状をなすように構成してある。
【００４５】
そして、前記一対の保持脚部２１、２１は、この掛け回し部２２の形成位置より先側において、この一対の保持脚部２１、２１間の隙間Ｓを保持される紐Ｗの端部の太さよりも狭くする紐Ｗの挟み付け縁部２１ａを持つように構成されている。
【００４６】
これにより、この実施の形態にかかるフック具にあっては、以下のようにすることによって、紐Ｗに連結させることができる。
【００４７】
先ず、紐保持体２の筒状基部２０における保持脚部２１の突き出し側と反対の筒端からこの筒状基部２０に入れ込まれると共に、この筒状基部２０における保持脚部２１の突き出し側にある筒端から抜き出された紐Ｗの端部を、一対の保持脚部２１、２１と掛け回し部２２とこの突き出し側の筒端とによって囲繞された空間から側方に引き出した後、この掛け回し部２２に紐Ｗの端部が掛け回される向きに屈曲させた状態で一対の保持脚部２１、２１の先端間からこの一対の保持脚部２１、２１間に紐Ｗを入れ込ませるようにする。
【００４８】
かかる一対の保持脚部２１、２１における掛け回し部２２の形成位置より先側にある一対の保持脚部２１、２１間の隙間Ｓは、前記挟み付け縁部２１ａによって、このように入れ込まれる紐Ｗの太さよりも狭くなっていることから、一対の保持脚部２１、２１間に紐Ｗは押し潰されながら入れ込まされる。これにより、一対の保持脚部２１、２１間から紐Ｗの端部が再び抜け出さないように、すなわち、紐保持体２に紐Ｗの端部を強固に保持させることができる。
【００４９】
そして、このように紐Ｗの端部を保持した紐保持体２を本体１の筒状部１１にはめ込ませることにより、フック具を紐Ｗに連結させることができる。
【００５０】
このように連結された紐Ｗは、その端部を、前記掛け回し部２２の先において、この掛け回し部２２に掛け回されるようにして、一対の保持脚部２１、２１の間に入れ込まされることから、紐Ｗに張力が作用されても、紐Ｗはフック具から抜け出されることはない。
【００５１】
なお、この紐Ｗの保持効果を高める観点からは、前記一対の保持脚部２１、２１における掛け回し部２２の形成位置より先側にある一対の保持脚部２１、２１間の隙間Ｓを、張力の作用によりもっとも引き延ばされた状態にある紐Ｗの太さとほぼ同じ寸法となるようにしておくことが最適とされる。
【００５２】
また、この実施の形態にあっては、紐Ｗの挟み付け縁部２１ａが、保持脚部２１の突き出し方向に沿った稜線状をなすように構成してある。
【００５３】
具体的には、この実施の形態にあっては、前記掛け回し部２２の形成位置より先側において、一対の保持脚部２１、２１における他方の保持脚部２１に向き合った側に、保持脚部２１の突き出し方向に沿ったリブ状部２１ｂが形成してある。そして、このリブ状部２１ｂを、保持脚部２１の突き出し方向に交叉する向きの断面形状が頂部２１ｃを他方の保持脚部２１の側に向けた山形状をなすように構成させている。そして、このリブ状部２１ｂの頂部２１ｃによって前記稜線状をなす挟み付け縁部２１ａを構成させている。
【００５４】
これにより、この実施の形態にあっては、一対の保持脚部２１、２１間に入れ込まされた紐Ｗに対し、挟み付け縁部２１ａを突き立てるように食い込ませることができ、この一対の保持脚部２１、２１において紐Ｗをより強固に挟み付け保持することができる。
【００５５】
また、この実施の形態にあっては、前記保持脚部２１における前記山形状をなすリブ状部２１ｂに、このリブ状部２１ｂの傾斜した側面より、側方に張り出すように設けられると共に、張り出し面をリブ状部２１ｂの延設方向に交叉する向きに配した突片２１ｄが設けられており、一対の保持脚部２１、２１間に一旦入れ込まれた一旦紐Ｗがこの一対の保持脚部２１、２１の先端側に移動し難いようにしてある。
【００５６】
また、この実施の形態にあっては、保持脚部２１の先端と、この先端側にある挟み付け縁部２１ａの始端との間に、この始端に近付くに連れて他方の保持脚部２１の側に次第に近付くように傾斜した紐Ｗの導入縁部２１ｅが形成してある。
【００５７】
図示の例にあっては、前記山形状をなすリブ状部２１ｂは、前記突片の形成位置から保持脚部２１の先端に向けて次第にその突き出し寸法を小さくするように形成されており、このリブ状部２１ｂにおける突き出し寸法を次第に小さくした箇所によって前記のように傾斜した紐Ｗの導入縁部２１ｅが形成されている。
【００５８】
これにより、この実施の形態にあっては、一対の保持脚部２１、２１の挟み付け縁部２１ａ間への紐Ｗの端部の入れ込みを、この挟み付け縁部２１ａの始端に近付くに連れて他方の保持脚部２１の側に次第に近付く紐Ｗの導入縁部２１ｅを利用して紐Ｗを徐々に押し潰しながらなすことができ、この一対の保持脚部２１、２１の挟み付け縁部２１ａ間への紐Ｗの端部の入れ込みをスムースになすことができる。
【００５９】
また、この実施の形態にあっては、前記掛け回し部２２における筒状基部２０の筒端に向けられた側に、この筒端側と反対の側に向けて次第に掛け回し部２２を太めるように傾斜した紐Ｗの案内面２２ａが形成してある。
【００６０】
すなわち、前記掛け回し部２２における、筒状基部２０における本体１への差し込み先側となる筒端に向けられた側に、この筒端側と反対の側に向けて次第に掛け回し部２２を太めるように傾斜した紐Ｗの案内面２２ａが形成してある。
【００６１】
具体的には、図示の例にあっては、掛け回し部２２は、三つの側面を備えた断面ほぼ三角形状をなすように構成されている。
【００６２】
そして、かかる掛け回し部２２は、この三つの側面のうち、保持脚部２１の先端側に向けられた面を、保持脚部２１の突き出し方向にほぼ直交させる面とし、保持脚部２１の側方に向けられた面を、保持脚部２１の突き出し方向に沿った面とし、
筒状基部２０の筒端に向けられた面を、傾斜した前記案内面２２ａとしている。（図１０）
【００６３】
これにより、この実施の形態にあっては、紐保持体２の筒状基部２０における保持脚部２１の突き出し側と反対の筒端からこの筒状基部２０に入れ込まれると共に、この筒状基部２０における保持脚部２１の突き出し側にある筒端から抜き出された紐Ｗの端部を、前記案内面２２ａによって案内して、一対の保持脚部２１、２１と掛け回し部２２とこの突き出し側の筒端とによって囲繞された空間から側方にスムースに引き出させることができ、一対の保持脚部２１、２１間への紐Ｗの入れ込み操作を行い易くすることができる。
【００６４】
【発明の効果】
この発明にかかるフック具によれば、紐に結び目を付けることなく、紐とフック具とを容易かつ確実に連結することができる。
【図面の簡単な説明】
【図１】フック具の分離斜視図
【図２】同使用状態を示す正面図
【図３】図２におけるＡ−Ａ線位置での断面図
【図４】図３におけるＢ−Ｂ線位置での断面図
【図５】本体１の正面図
【図６】図５におけるＣ−Ｃ線位置での断面図
【図７】本体１の左側面図
【図８】同右側面図
【図９】紐保持体２の正面図
【図１０】図９におけるＤ−Ｄ線位置での断面図
【図１１】図９におけるＥ−Ｅ線位置での断面図
【図１２】紐保持体２の左側面図
【図１３】同右側面図
【図１４】従来例を示す断面図
【符号の説明】
Ｗ　紐
Ｓ　隙間
１　本体
１０　鉤部
１０ａ　根本
１１　筒状部
２　紐保持体
２０　筒状基部
２１　保持脚部
２１ａ　挟み付け縁部
２２　掛け回し部
【図１】
2004049449.tif 000003
【図２】
2004049449.tif 000004
【図３】
2004049449.tif 000005
【図４】
2004049449.tif 000006
【図５】
2004049449.tif 000007
【図６】
2004049449.tif 000008
【図７】
2004049449.tif 000009
【図８】
2004049449.tif 000010
【図９】
2004049449.tif 000011
【図１０】
2004049449.tif 000012
【図１１】
2004049449.tif 000013
【図１２】
2004049449.tif 000014
【図１３】
2004049449.tif 000015
【図１４】
2004049449.tif 000016